(57)【要約】【課題】  通常機及び高機能機として動作可能な印刷装置であって、安価かつコンパクトに製造することが出来る印刷装置を、提供する。【解決手段】  印刷装置１０を、所定形状のＲＯＭ基板を装着するためのスロット２６が１個だけ実装された制御ユニット（コントローラ基板）２０を、備え、標準ＲＯＭ基板３１をスロット２６に装着することにより、通常機として動作し、オプションＲＯＭ基板装着用のスロットを有し、当該スロットにオプションＲＯＭ基板が装着されたスロット付ＲＯＭ基板３２をスロット２６に装着することにより高機能機として動作する装置として構成しておく。【選択図】  図１
2008030210.tif 000002
【特許請求の範囲】
【請求項１】
通常機と、前記通常機よりも高機能な高機能機として動作可能な印刷装置であって、
所定形状のＲＯＭ基板を装着するためのスロットが１個だけ実装されたコントローラ基板を、備え、
第１種標準ＲＯＭ基板を前記コントローラ基板の前記スロットに装着することにより、前記通常機として動作し、
オプションＲＯＭ基板が装着された第２種標準ＲＯＭ基板を前記コントローラ基板の前記スロットに装着することにより前記高機能機として動作する
ことを特徴とする印刷装置。
【請求項２】
前記第２種標準ＲＯＭ基板が、
前記オプションＲＯＭ基板が装着されていない状態で前記コントローラ基板の前記スロットに装着された場合には、印刷装置を前記通常機として動作させる基板である
ことを特徴とする請求項１記載の印刷装置。
【請求項３】
所定形状のＲＯＭ基板を装着するためのスロットが１個だけ実装されたコントローラ基板を備えた印刷装置の前記スロットに装着されるスロット付ＲＯＭ基板であって、
オプションＲＯＭ基板を装着するためのオプションＲＯＭ基板用スロットを備え、
前記オプションＲＯＭ基板用スロットに前記オプションＲＯＭ基板が装着されていない状態で前記スロットに装着された場合には、前記印刷装置を通常機として動作させ、
前記オプションＲＯＭ基板用スロットに前記オプションＲＯＭ基板が装着されている状態で前記スロットに装着された場合には、前記印刷装置を、前記通常機よりも高機能の高機能機として動作させる
ことを特徴とするスロット付ＲＯＭ基板。
【請求項４】
デバイスへの電源供給に使用されていない電源端子と、前記オプションＲＯＭ基板用スロットの特定の端子とが、前記オプションＲＯＭ基板用スロットに前記オプションＲＯＭ基板が装着されているか否かによって前記電源端子のレベルが変化するように、結線されている
ことを特徴とする請求項３記載のスロット付ＲＯＭ基板。
【発明の詳細な説明】
【技術分野】
【０００１】
本発明は、通常機又は高機能機として動作可能な印刷装置と、そのような印刷装置を高機能機として動作させるために使用されるスロット付ＲＯＭ基板とに、関する。
【背景技術】
【０００２】
現在、市販されている印刷装置（プリンタ，複合機等の印刷を行う装置）の中には、図６（Ａ）に示した状態で使用すると、通常機能の印刷装置（以下、通常機と表記する）として動作し、図６（Ｂ）に示した状態で使用すると、より高機能な印刷装置（以下、高機能機と表記する）として動作するものが、存在している。
【０００３】
すなわち、現在、市販されている印刷装置の中には、標準ＲＯＭスロット，オプションＲＯＭスロット等が実装されているコントローラ基板（印刷装置内の各部の制御を行うプリント回路板）を備え、標準ＲＯＭスロットに標準ＲＯＭ基板を装着し，オプションＲＯＭスロットにオプションＲＯＭ基板を装着せずに使用した場合（図６（Ａ））には、通常機として動作し、標準ＲＯＭスロット，オプションＲＯＭスロットに，それぞれ，標準ＲＯＭ基板，オプションＲＯＭ基板を装着して使用した場合（図６（Ｂ））には、高機能機として動作するものが存在しているが、このタイプの印刷装置は、オプションＲＯＭスロットの実装が必要なため，コントローラ基板が比較的に大きな，製造コストがよりかかるものとなってしまうという欠点を有するものとなっている。
【０００４】
また、現在、市販されている印刷装置の中には、標準ＲＯＭスロット，オプションＲＯＭスロットが実装されていないコントローラ基板を備えたものも存在しているが、このタイプの印刷装置は、コントローラ基板を比較的に小さなものとすることができるという利点を有するものの、機能の追加が行えないという欠点を有するものとなっている。
【発明の開示】
【発明が解決しようとする課題】
【０００５】
本発明は、上記現状を鑑みなされたものであり、本発明の課題は、通常機及び高機能機として動作可能な印刷装置であって、安価かつコンパクトに製造することが出来る印刷装置、そのような印刷装置の構成要素として使用されるスロット付ＲＯＭ基板を、提供することにある。
【課題を解決するための手段】
【０００６】
上記課題を解決するために、本発明では、印刷装置を、所定形状のＲＯＭ基板を装着するためのスロットが１個だけ実装されたコントローラ基板を、備え、第１種標準ＲＯＭ基板をコントローラ基板のスロットに装着することにより、通常機として動作し、オプションＲＯＭ基板が装着された第２種標準ＲＯＭ基板をコントローラ基板のスロットに装着することにより高機能機として動作する装置として構成しておく。
【０００７】
すなわち、本発明の印刷装置は、コントローラ基板に１個のみ実装されているＲＯＭ基板用のスロットに、第１種標準ＲＯＭ基板を装着すれば、通常機として動作し、そのスロットに、単一の基板ではなく、“オプションＲＯＭ基板が装着された第２種標準ＲＯＭ基板”を装着すれば、高機能機として動作する構成を有するものとなっている。そして、本発明の印刷装置に装着される第１種標準ＲＯＭ基板、オプションＲＯＭ基板は、特殊な機能／構造を必要とするものではない。このため、これらの基板としては、既存のものをそのまま利用することが出来る。また、ＲＯＭ基板用のスロットが１個だけ実装されたコントローラ基板（コンパクト，かつ，安価なコントローラ基板）は、既存の，オプションＲＯＭスロットが実装されているコントローラ基板，或いは、オプションＲＯＭスロットが実装されていないコントローラ基板を僅かに改良するだけで製造できるものである。さらに、第２種標準ＲＯＭ基板も、既存の標準ＲＯＭ基板の改良により簡単に製造できるものであるので、この印刷装置は、通常機及び高機能機として動作可能な印刷装置であって、安価に（設計，製造のいずれにもコストがかからない形で），かつ，コンパクトに製造することが出来る印刷装置となっているということが出来る。
【０００８】
本発明の印刷装置を実現する際には、第２種標準ＲＯＭ基板を、前記オプションＲＯＭ基板が装着されていない状態でコントローラ基板のスロットに装着された場合には、印刷装置を通常機として動作させる基板としておくことが出来る。
【０００９】
また、本発明のスロット付ＲＯＭ基板は、所定形状のＲＯＭ基板を装着するためのスロットが１個だけ実装されたコントローラ基板を備えた印刷装置のスロットに装着されるスロット付ＲＯＭ基板であって、オプションＲＯＭ基板を装着するためのオプションＲＯＭ基板用スロットを備えた構成であって、オプションＲＯＭ基板用スロットにオプションＲＯＭ基板が装着されていない状態でスロットに装着された場合には、印刷装置を通常機として動作させ、オプションＲＯＭ基板用スロットにオプションＲＯＭ基板が装着されている状態でスロットに装着された場合には、印刷装置を、通常機よりも高機能の高機能機として動作させる構成を、有する。
【００１０】
従って、このスロット付ＲＯＭ基板を用いれば、通常機及び高機能機として動作可能な印刷装置であって、安価かつコンパクトに製造することが出来る印刷装置を、実現できることになる。
【００１１】
本発明のスロット付ＲＯＭ基板を実現するに際しては、デバイスへの電源供給に使用されていない電源端子と、オプションＲＯＭ基板用スロットの特定の端子とが、オプションＲＯＭ基板用スロットにオプションＲＯＭ基板が装着されているか否かによって電源端子のレベルが変化するように、結線しておくことが出来る。
【発明を実施するための最良の形態】
【００１２】
以下、本発明を実施するための最良の形態を、図面を参照して詳細に説明する。
【００１３】
図１に示したように、本発明の一実施形態に係る印刷装置１０は、主な構成要素として、制御ユニット２０と印刷エンジン４０と操作パネル５０とを備えた装置である。
【００１４】
この印刷装置１０が備える印刷エンジン４０は、制御ユニット２０から指示された内容（制御ユニット２０内の画像処理ＡＳＩＣ２３からのビデオデータに応じた内容）の印刷を用紙上に行うユニットである。操作パネル５０は、ユーザとの間のインタフェース手段として印刷装置１０に設けられているユニットである。この操作パネル５０は、ＬＣＤ，複数のＬＥＤ及び押しボタンスイッチ，それらを制御するための集積回路等から構成されたユニットとなっている。
【００１５】
制御ユニット２０は、印刷装置１０を、通常機或いは高機能機として動作させるユニットである。この制御ユニット２０は、図示してあるように、ＣＰＵ２１，メモリ制御ＡＳＩＣ２２，画像処理ＡＳＩＣ２３，ＩＯ制御ＡＳＩＣ２４，ＲＡＭ基板２８を装着するための２つのＲＡＭ基板用スロット２５，標準ＲＯＭ基板３１（本発明の“第１種標準ＲＯＭ基板”に相当）或いはスロット付ＲＯＭ基板３２（本発明の“第２種標準ＲＯＭ基板”／“スロット付ＲＯＭ基板”に相当）を装着するためのＲＯＭ基板用スロット２６等がプリント配線板上に実装されたユニット（プリント回路板；本発明の“コントローラ基板”に相当）となっている。
【００１６】
以下、図２乃至図４を用いて、制御ユニット２０，スロット付ＲＯＭ基板３２等の構成を、具体的に、説明する。
【００１７】
制御ユニット２０は、メモリ制御ＡＳＩＣ２２とＲＯＭ基板用スロット２６との間が図２（及び図３）に示したように結線されたユニットとなっている。すなわち、制御ユニット２０は、既存のコントローラ基板（図６）では、オプションＲＯＭスロットに接続されていたオプションＩＤ端子（オプションＲＯＭ基板の装着の有無を検出するための端子に）が，ＲＯＭ基板用スロット２６（標準ＲＯＭ基板３１／スロット付ＲＯＭ基板３２）の，デバイスへの電源供給に用いられていない電源端子（"VDD"）に接続されたユニットとなっている。
【００１８】
一方、本印刷装置１０用のものとして用意されているスロット付ＲＯＭ基板３２は、図３及び図４に示してあるように、チップセレクト信号（"CS00X"等）が１つしか必要とされないタイプの標準ＲＯＭ基板（標準ＲＯＭ基板３１と同機能の基板）３１に、オプションＲＯＭ基板３５（本発明の“オプションＲＯＭ基板”に相当）を装着するためのオプションＲＯＭ基板用スロット３２Ｓ（本発明の“スロット”／“オプションＲＯＭ基板用スロット”に相当）と、端子部（スロット付ＲＯＭ基板３２の，ＲＯＭ基板用スロット２６へ挿入される部分）からオプションＲＯＭ基板用スロット３２Ｓへ至る配線とを追加し、ＲＯＭ基板用スロット２６（オプションＲＯＭ基板３５）のグランド端子（"GND"）を、端子部の電源端子（"VDD"）に接続したものに相当する基板となっている。
【００１９】
以上の説明から明らかなように、本実施形態に係る印刷装置１０は、標準ＲＯＭ基板３１，オプションＲＯＭ基板３５として、既存のものをそのまま利用することが出来る装置となっている。また、印刷装置１０の制御ユニット２０（コントローラ基板）は、既存のコントローラ基板を僅かに改良する（オプションＩＤ端子の接続先を変え、オプションＲＯＭスロット，及び，オプションＲＯＭスロット関連の配線を除去する）だけで製造できるものとなっている。さらに、スロット付ＲＯＭ基板３２も、既存の標準ＲＯＭ基板の改良により簡単に製造できるものであるので、この印刷装置１０は、通常機及び高機能機として動作可能な印刷装置であって、安価に（設計，製造のいずれにもコストがかからない形で），かつ，コンパクトに製造することが出来る印刷装置となっているということが出来る。
【００２０】
《変形形態》
上記した印刷装置１０は、各種の変形を行うことが出来る。例えば、スロット付ＲＯＭ基板３２を、オプションＲＯＭ基板３５を装着しておかなければ機能しないものとしておくことが出来る。また、メモリ制御ＡＳＩＣ２２のオプションＩＤ端子とＲＯＭ基板用スロット２６とが接続されていない装置であって、オプションＲＯＭ基板３５上のＥＥＰＲＯＭと通信が行えるか否かにより、オプションＲＯＭ基板３５の装着の有無を判断する装置に、印刷装置１０を変形しておくことも出来る。ただし、印刷装置１０をそのように変形した場合には、オプションＲＯＭ基板３５の装着の有無をソフトウェア的に判断しなければならなくなるため、上記構成を採用しておくことが望ましい。
【００２１】
また、上記したスロット付ＲＯＭ基板３２は、オプションＲＯＭ基板３５が基板面に平行に取り付けられるものであったが、スロット付ＲＯＭ基板３２を、他の構成を有するもの，例えば，図５に示したように、オプションＲＯＭ基板３５が基板面に垂直に取り付けられるものに変形しても良いことなどは、当然のことである。
【図面の簡単な説明】
【００２２】
【図１】本発明の一実施形態に係る印刷装置の構成図。
【図２】実施形態に係る印刷装置が備える制御ユニット（コントローラ基板）のの構成の説明図。
【図３】実施形態に係る印刷装置に装着されるスロット付ＲＯＭ基板の構成等の説明図。
【図４】実施形態に係る印刷装置における，オプションＲＯＭ基板，スロット付ＲＯＭ基板の装着形態の説明図。
【図５】オプションＲＯＭ基板，スロット付ＲＯＭ基板の他の装着形態の説明図。
【図６】オプションＲＯＭ基板が装着可能な既存の印刷装置の説明図。
【符号の説明】
【００２３】
１０  印刷装置、  ２０  制御ユニット、  ２１  ＣＰＵ
２２  メモリ制御ＡＳＩＣ、  ２３  画像処理ＡＳＩＣ、  ２４  ＩＯ制御ＡＳＩＣ
２５  ＲＡＭ基板用スロット、  ２６  ＲＯＭ基板用スロット、２８  ＲＡＭ基板
３１  標準ＲＯＭ基板、  ３２  スロット付ＲＯＭ基板
３２Ｓ  オプションＲＯＭ基板用スロット、  ３５  オプションＲＯＭ基板
４０  印刷エンジン、  ５０  操作パネル
【図１】
2008030210.tif 000003
【図２】
2008030210.tif 000004
【図３】
2008030210.tif 000005
【図４】
2008030210.tif 000006
【図５】
2008030210.tif 000007
【図６】
2008030210.tif 000008